(57)【要約】【課題】組立て部品過多で構造が複雑な問題を解決して製造コスト並びに組立てコストを下げる。【解決手段】本発明に係るフィード装置の仕切り用差動装置はシャフト、第一ロール、第二ロールとピンから構成される。第一ロールはシャフトの一端に位置し、第一外部フレームと前記第一外部フレーム内径にある第一凸部からなり、第二ロールはシャフトに接合し、第二ロールはさらに第二外部フレームと、第二外部フレーム内にあり前記シャフトを接合するための接合穴と、接合穴の口径から前記第二外部フレームまで伸ばすための溝部と、接合穴の側端にあり前記第一凸部に当接するための第二凸部と、シャフトに穿設した後、溝に設置するピンとを含んでいる。第二ロールがシャフトに連れて回転し第二凸部を駆動させ、前記第一外部フレーム内でシフトさせて第一凸部に当接すると、第一ロールを回転させて前記ペーパーを連動シフトさせる。【選択図】図３
2008150207.tif 000002
【特許請求の範囲】
【請求項１】
順にそれぞれペーパーをフィードするためのフィード装置の仕切り用差動装置であって、
シャフトと、
前記シャフトに穿設するピンと、
前記シャフトの一端に位置し第一外部フレームと前記第一外部フレーム内径にある第一凸部からなる第一ロールと、
前記シャフトに接合する第二ロールとを含み、
前記第二ロールはさらに、
第二外部フレームであって、前記第二外部フレーム周縁は前記第一外部フレーム内に位置することと、
前記第二外部フレームにあり前記シャフトを接合するための接合穴と、
前記接合穴の口径から前記第二外部フレームまで伸ばし前記ピンを収納するための少なくとも一つの溝部と、
前記接合穴の側端にあり前記第一凸部に当接するための第二凸部とを含み、
前記第二ロールが前記シャフトに連れて回転し、前記第二凸部が前記第一外部フレーム内でシフトして前記第一凸部に当接し、前記第一ロールを回転し前記ペーパーを誘導させることを特徴とする、
フィード装置の仕切り用差動装置。
【請求項２】
前記第一ロールはさらに少なくとも一つのリブを含み、前記第一外部フレーム内のスペースを仕切り複数の隔離スペースを形成することを特徴とする、請求項１に記載するフィード装置仕の切り用差動装置。
【請求項３】
さらに前記シャフトを駆動し回転させるための駆動モジュールを含むことを特徴とする、請求項1に記載するフィード装置の仕切り用差動装置。
【請求項４】
さらに前記第一ロールの下端に位置する支持モジュールを含み、前記支持モジュールと前記第一ロールの間にチャネルを形成し前記ペーパーをチャネル内にシフトさせることを特徴とする、請求項１に記載するフィード装置の仕切り用差動装置。
【請求項５】
さらに前記ペーパーを前記チャネルに送るためのフィードロールを含むことを特徴とする、請求項４に記載するフィード装置の仕切り用差動装置。
【請求項６】
さらに送りロールを含み、前記送りロールの回転速度は前記シャフトと前記第二ロールの回転速度より速く前記ペーパーが前記第一ロールに連れて回転した後、前記送りロールの回転により前記ペーパーをシフトさせ、前記ペーパーのシフトにより前記第一ロールの回転速度を加速させることを特徴とする、請求項１に記載するフィード装置の仕切り用差動装置。
【請求項７】
前記第一ロールと前記第二ロールの速度差異は前記第一凸部と前記第二凸部の間にギャップを発生させ、前記第一ロールを間歇回転させてペーパーをフィードしパーティションすることを特徴とする、請求項６に記載するフィード装置の仕切り用差動装置。
【請求項８】
順にそれぞれペーパーをフィードするためのフィード装置の仕切り用差動装置であって、
駆動ジュールと、
前記駆動ジュールを駆動し回転させるシャフトと、
前記シャフトに穿設するピンと、
前記シャフトの一端に位置し、第一外部フレームと前記第一外部フレーム内径にある第一凸部からなる第一ロールと、
前記第一ロール下方に位置し、前記チャネル内の前記ペーパーが前記第一ロールの回転に連れてシフトするチャネルと、
前記シャフトに接合する第二ロールとを含み、
前記第二ロールはさらに、
第二外部フレームであって、前記第二外部フレーム周縁は前記第一外部フレーム内に位置すると、
前記第二外部フレーム内にあり前記シャフトを接合するための接合穴と、
前記接合穴の口径から前記第二外部フレームまで伸ばし、前記ピンを収納するための少なくとも一つの溝部と、
前記接合穴の側端にあり前記第一凸部に当接し前記第一ロールを回転させるための第二凸部と、
前記ペーパーを前記チャネルに送るためのフィードロールと、
送りロールであって、前記送りロールの回転速度は前記シャフトと前記第二ロールの回転速度より速く前記ペーパーを誘導し前記チャネルを離れ、前記ペーパーのシフトにより前記第一ロールを誘導しその回転速度を変えることを含み、
前記第一ロールと前記第二ロールの速度差異は、前記第一凸部と前記第二凸部の間にギャップを発生させ、前記第一ロールを間歇回転させてペーパーをフィードしパーティションすることを特徴とする、フィード装置の仕切り用差動装置。
【請求項９】
前記第一ロールはさらに少なくとも一つのリブを含み、前記第一外部フレーム内のスペースを仕切り複数の隔離スペースを形成することを特徴とする、請求項８に記載するフィード装置の仕切り用差動装置。
【請求項１０】
さらに前記第一ロールの下端に位置する支持モジュールを含み、前記支持モジュールと前記第一ロールの間にチャネルを形成することを特徴とする、請求項８に記載するフィード装置の仕切り用差動装置。
【発明の詳細な説明】
【技術分野】
【０００１】
本発明は差動装置であって、特にフィード装置の仕切り用差動装置のことである。
【背景技術】
【０００２】
科学技術の進歩と技術の発展に伴い、ファックス、プリンター、スキャナー、コピー機などの事務機器は最早不可欠な電子製品となっているが、事務機器の機種を問わずペーパーパーティション装置がないとペーパーを逐一フィードできないのである。
【０００３】
図１、図２Ａ、図２Ｂでは、従来のペーパーパーティション装置がパーティションロールＡ１と摩擦ロールＡ２を有し、そのうちパーティションロールＡ１は第一シャフトＡ３が回転し、摩擦力を利用して摩擦ロールＡ２を駆動させて回転する。また、摩擦ロールＡ２は中空シリンダーＡ２１、スプリングＡ２２、摩擦板Ａ２３、固定部材Ａ２４及びＣ型リングＡ２５から構成されている。二個のＣ型リングＡ２５は第二シャフトＡ４の両端に嵌め込んでおり、スプリングＡ２２が第二シャフトＡ４の軸方向に沿って圧縮力を提供すると共に、摩擦板Ａ２３と固定部材Ａ２４の摩擦面Ａ２４１の間の摩擦力をも提供する。ペーパーＡ５がパーティションロールＡ１と摩擦ロールＡ２との間のチャネルに送られると摩擦板Ａ２は回転しないので、その他のペーパーは進入不能となり、チャネルに送られたペーパーＡ５は摩擦ロールＡ２に対してスライドするが、パーティションロールＡ１に対してはスライドしないのでパーティション効果が達成される。
【０００４】
しかしこのペーパーパーティション装置の中で、Ｃ型リングＡ２５は製造し難く、また部品数も多過ぎて構造が複雑である等の問題が絡み、組立てに相当な時間と労力を費やし、製造コスト及び組立てコストが下がらないのである。
【発明の開示】
【発明が解決しようとする課題】
【０００５】
こうしたことから、如何にしてフィード装置のパーティション構造を改良し、組立て部品過多で構造が複雑な問題を解決して製造コスト並びに組立てコストを下げるかが本案の発明人並びに当業者が改善しようとしている課題である。
【課題を解決するための手段】
【０００６】
本発明はシャフト、ピン、第一ロール及び第二ロールから構成されるフィード装置の仕切り用差動装置を提示する。その中で、ピンはシャフトに穿設し、第一ロールはシャフトの一端に位置し、第一外部フレームと第一外部フレーム内径にある第一凸部を含み、第二ロールはシャフトに接合し、第二外部フレームと、第二外部フレーム内にありシャフトを接合するための接合穴を含み、溝部は、接合穴の口径から第二外部フレームまで伸ばしピンを収納し、また、第二凸部は接合穴の側端にあって第一凸部に当接する。第二ロールがシャフトにつれて回転し、第二凸部を駆動させて第一外部フレーム内でシフトさせ第一凸部に当接すると、第一ロールを回転させてペーパーを誘導シフトさせるのである。
【０００７】
本発明で開示した構造は更に第一ロール下方にある支持モジュールを含み、且つ支持モジュールと第一ロールの間にチャネルを形成し、ペーパーをチャネル内にシフトさせる。また、本発明では更にペーパーをチャネルに送るためのフィードロールをも含む。
【０００８】
また、本発明では更に送りロールを含み、且つ送りロールの回転速度はシャフトより速く、ペーパーは第一ロールの回転により送りロールへシフトされ、送りロールはペーパーを誘導して、ペーパーのシフトにより第一ロールの回転速度を加速させる。
【０００９】
これによって、第一ロールと第二ロールには速度差異が生じてフィード仕切りの目的が達せられ、従来の仕切り装置の部品過多で構造が複雑である等の問題の解決が図られ、組立ての利便性が向上し組立て及び製造に掛るコストが低減出来るのである。
【００１０】
本発明はまた、シャフト、ピン、第一ロール、チャネル、第二ロール、フィードロール及び送りロールで構成されるフィード装置の仕切り用差動装置を提示する。その中で、シャフトに穿設するピンと、シャフトの一端に位置し、第一外部フレームと第一外部フレーム内径にある第一凸部からなる第一ロールと、第一ロール下方に位置し、チャネル内のペーパーが第一ロールの回転に連れてシフトするチャネルと、シャフトに接合する第二ロールを含み、第二ロールはさらに第二外部フレームと、第二外部フレーム内にあるシャフトを接合するための接合穴と、接合穴の口径から第二外部フレームまで伸ばしピンを収納するための溝部と、接合穴の側端にあり第一凸部に当接し第一ロールを回転させるための第二凸部と、ペーパーをチャネルに送るためのフィードロールと、ペーパーを引き離してチャネルに送り、ペーパーのシフトにより第一ロールの回転速度を変えるための送りロールを含み、第一ロールと第二ロールの速度差異は第一凸部と第二凸部の間にギャップを発生させ、第一ロールを間歇回転させてペーパーをフィードしパーティションする。
【００１１】
本発明に基いて開示した構造には更に第一ロールの下端に位置する支持モジュールを含み、且つ支持モジュールと第一ロールの間にチャネルを形成し、ペーパーをチャネル内にシフトさせる。
【００１２】
さらに、送りロールの回転速度はシャフトより速いので、ペーパーは第一ロールの回転により送りロールへシフトされ、送りロールはペーパーを誘導シフトして、ペーパーがシフトすることで第一ロールの回転速度を加速させる。
【００１３】
これによって、第一ロールと第二ロールには速度差異が生じてフィード仕切りの目的が達せられ、従来の仕切り装置の部品過多で構造が複雑である等の問題の解決が図られ、組立ての利便性が向上し組立てや製造に掛るコストが低減出来るのである。
【００１４】
本発明に関する好ましい実施例及びその効果は図面と合わせて後述する。
【発明を実施するための最良の形態】
【００１５】
［実施例］
図３、図４及び図５はフィード装置の仕切り用差動装置の実施例であり、図３は立体外観図、図４は分解概略図、図５は第一ロールと第二ロールの概略図である。
【００１６】
フィード装置の仕切り用差動装置は、シャフト１０、ピン２０、第一ロール３０、第二ロール４０を含む。
【００１７】
シャフト１０は両端を台座本体に嵌め込み、且つシャフト１０には貫通孔１１を設ける。
【００１８】
ピン２０はシャフト１０の貫通孔１１に穿設する。ピン２０とシャフト１０は実際の設計上必要であることから分離して成型した上で組み合わせ、シャフト１０から一体にした方式で伸ばして形成する。
【００１９】
第一ロール３０はシャフト１０の一端に有り、第一外部フレーム３１を取り付け、また第一外部フレーム３１の内径に第一凸部３２を取り付ける。
【００２０】
第二ロール４０には第二外部フレーム４１を取り付けるが、第二外部フレーム４１は第一外部フレーム３１よりやや小さく、第二外部フレーム４１の周縁部は第一外部フレーム３１内にある。第二ロール４０は第二外部フレーム４１内に接合穴４２を設けてシャフト１０に接合し、接合穴４２の口径から第二外部フレーム４１の溝部４２１まで伸ばしピン２０を収納する。第二ロ−ル４０は接合穴４２側の周縁部に第二凸部４３を伸ばして形成し、第一ロール３０の第一凸部３２に当接する。
【００２１】
本発明が開示する構造により、フィード装置の仕切り用差動装置は更に支持モジュール５０を含んで第一ロール３０の下方に設置し、支持モジュール５０と第一ロール３０の間にチャネル５１を形成し、ペーパー９をチャネル５１内にシフトさせる。これにより、本発明では更にフィードロール６０も有し、チャネル５１の開口部に設置し、ペーパー９を誘導してチャネル５１内に送り込む。また、本発明は更に送りロール７０を有してチャネル５１の末端に位置し、送りロール７０の回転速度はシャフト１０及び第二ロール４０の回転速度よりも速い。このほかに、本発明では駆動モジュール８０も設置してシャフト１０並びにフィードロール６０を回転させる。
【００２２】
上記説明での第一ロール３０には少なくとも一つのリブを取り付け、第一外部フレーム３１内のスペースを仕切り複数の隔離スペースを形成し、異なったリブを取り付けることで第二ロール４０の第二凸部４３の第一外部フレーム３１内におけるシフト距離を調整する。
【００２３】
図６Ａ乃至図６Ｅは本発明の第一ロールと第二ロールが回転する際の動作概略図である。
【００２４】
駆動モジュール８０はまずシャフト１０を駆動してフィードロール６０を回転させ、シャフト１０は溝部４２１内にあるピン２０によって第二ロール４０を回転させ、第二ロール４０の第二凸部４３を第一ロール３０の第一凸部３２に当接して第一ロール３０を回転させる。フィードロール６０が回転してペーパー９を誘導してチャネル５１内へ送り込み、第一ロール３０によってペーパー９を誘導シフトする。
【００２５】
ペーパー９は第一ロール３０に連れて回転した後チャネル５１末端の送りロール７０までシフトし、送りロール７０からペーパー９を誘導シフトすると送りロール７０の回転速度が速めであるので、ペーパー９のシフト速度も加速し、ペーパー９がシフトすることで第一ロール７０は回転速度を加速させる。このとき第一ロール７０と第二ロール４０との速度差異が第一凸部３２を第二凸部４３の当接から離し、第一凸部３２と第二凸部４３の間のギャップは次第に大きくなる。
【００２６】
ペーパー９の末端がチャネル５１を離れると、第一ロール３０は動力を失って回転が止まり、後に続くペーパー９は第一ロール３０によりチャネル５１内にシフトできない。このとき駆動モジュール８０は引き続きシャフト１０を駆動して第二ロール４０を回転させることで第一凸部３２と第二凸部４３の間のギャップを次第に縮小させる。第二凸部４３がまた改めて第一凸部３２に当接すると、再び第一ロール３０を回転させてペーパー９をシフトさせる。
【００２７】
本発明の構造により第一ロール３０と第二ロール４０に速度差異が生じ、第一ロール３０の間歇回転によってフィードしてパーティションする目的を達成するが、本発明は部品が少なく、構造が簡素であるという長所を持ち合わせており、組立ては従来のパーティション装置に比べて便利になり、さらに組立てコスト並びに製造コストも削減するのである。
【００２８】
本発明の技術内容は既に好ましい実施例により上記に開示しているが、何等本発明を限定するものではなく、当業者が本発明の趣旨を逸脱しないで為した若干の変化若しくは修正についても、全て本発明の範囲内とし、従って本発明の保護範囲は添付した特許申請範囲で定めるものを基準とする。
【図面の簡単な説明】
【００２９】
【図１】従来のペーパーパーティション装置の概略図である。
【図２Ａ】図１の摩擦ロールの立体図である。
【図２Ｂ】図１の摩擦ロールの立体図である。
【図３】本発明の立体外観図である。
【図４】本発明の分解概略図である。
【図５】本発明の第一ロールと第二ロールの概略図である。
【図６Ａ】本発明の第一ロールと第二ロールが回転する際の動作概略図（一）である。
【図６Ｂ】本発明の第一ロールと第二ロールが回転する際の動作概略図（二）である。
【図６Ｃ】本発明の第一ロールと第二ロールが回転する際の動作概略図（三）である。
【図６Ｄ】本発明の第一ロールと第二ロールが回転する際の動作概略図（四）である。
【図６Ｅ】本発明の第一ロールと第二ロールが回転する際の動作概略図（五）である。
【符号の説明】
【００３０】
１０    シャフト
１１    貫通孔
２０    ピン
３０    第一ロール
３１    第一外部フレーム
３２    第一凸部
４０    第二ロール
４１    第二外部フレーム
４２    接合穴
４２１  溝
４３    第二凸部
５０    支持モジュール
５１    チャネル
６０    フィードロール
７０    送りロール
８０    駆動モジュール
９      ペーパー
Ａ１    パーティションロール
Ａ２    摩擦ロール
Ａ２１  中空シリンダー
Ａ２２  スプリング
【図１】
2008150207.tif 000003
【図２Ａ】
2008150207.tif 000004
【図２Ｂ】
2008150207.tif 000005
【図３】
2008150207.tif 000006
【図４】
2008150207.tif 000007
【図５】
2008150207.tif 000008
【図６Ａ】
2008150207.tif 000009
【図６Ｂ】
2008150207.tif 000010
【図６Ｃ】
2008150207.tif 000011
【図６Ｄ】
2008150207.tif 000012
【図６Ｅ】
2008150207.tif 000013